(57)【特許請求の範囲】
【請求項１】
オーディオ機器の外部電源ジャックに差し込まれるＤＣプラグと、
上記オーディオ機器のヘッドホンジャックに差し込まれるヘッドホンプラグと、
このヘッドホンプラグから得られるオーディオ信号をＦＭ放送帯のＦＭ信号に変換して送信する送信回路と、
受信回路と、
不揮発性のメモリと、
ディスプレイと、
スキャンキーと、
上記送信回路の送信周波数および上記受信回路の受信周波数を制御する制御回路と、
自動車のシガーライターソケットに差し込まれるプラグと
を有し、
上記ディスプレイおよび上記スキャンキーは、ユニット本体の外周面に設けられ、
上記プラグは上記ユニット本体から突出して設けられ、
上記メモリは、
空き周波数のデータと、
前回、電源がオフになるときに上記送信回路が使用していた送信周波数のデータであるラストチャンネルのデータと
を記憶するものとされ、
上記プラグを上記シガーライターソケットに差し込んだとき、そのシガーライターソケットに得られる直流電圧が、上記プラグを通じて上記送信回路、上記受信回路および上記制御回路にそれらの動作電圧として供給され、
上記制御回路は、
上記プラグを通じて上記直流電圧が動作電圧として供給されたとき、上記送信回路を不動作状態にするとともに、上記受信回路を動作状態にし、
上記メモリから上記ラストチャンネルのデータを読み出して上記受信回路の受信周波数を、前回、電源をオフにするときに使用していたラストチャンネルの周波数に設定し、
この設定したラストチャンネルの受信周波数が空いているかどうかを判別し、
このラストチャンネルの受信周波数が空いているときには、上記送信回路を動作状態にするとともに、上記受信回路を不動作状態にし、かつ、
上記送信回路の送信周波数を、上記読み出したラストチャンネルのデータにより、前回、電源がオフになるときに使用していた周波数に設定するとともに、
この設定した周波数を上記ディスプレイに表示し、
上記設定したラストチャンネルの受信周波数が空いていないときには、上記メモリに記憶されている空き周波数のデータを読み出して上記受信回路の受信周波数をその空き周波数に設定し、
この設定した受信周波数が空いているかどうかを判別し、
この設定した周波数が空いているときには、上記送信回路を動作状態にするとともに、上記受信回路を不動作状態にし、かつ、
上記送信回路の送信周波数を、上記メモリに記憶されている上記空き周波数のデータにより、その空き周波数に設定するとともに、
この設定した周波数を上記ディスプレイに表示し、
上記メモリに記憶されている空き周波数のデータの周波数が空いていないときには、上記スキャンキーが操作されたとき、上記受信回路の感度を高く設定するとともに、上記ＦＭ放送帯のスキャンを開始して空き周波数の検出を開始し、
このスキャンの結果、空き周波数が検出されたときには、上記送信回路を動作状態にするとともに、上記受信回路を不動作状態にし、かつ、
上記送信回路の送信周波数を、上記スキャンにより検出された空き周波数に設定するとともに、
この設定した周波数を上記ディスプレイに表示し、かつ、
この設定した周波数のデータを上記メモリにラストチャンネルのデータとして記憶し、
上記スキャンの結果、空き周波数が検出されないときには、上記受信回路の感度を低く設定するとともに、上記ＦＭ放送帯の再スキャンを開始して空き周波数の検出を開始し、
この再スキャンの結果、空き周波数が検出されたときには、上記送信回路を動作状態にするとともに、上記受信回路を不動作状態にし、かつ、
上記送信回路の送信周波数を、上記再スキャンにより検出された空き周波数に設定するとともに、
この設定した周波数を上記ディスプレイに表示し、かつ、
この設定した周波数のデータを上記メモリにラストチャンネルのデータとして記憶する
ようにした送信機。
【発明の詳細な説明】
【０００１】
【発明の属する技術分野】
この発明は、ポータブルＣＤプレーヤなどと組み合わせて使用する送信機に関する。
【０００２】
【従来の技術】
自動車にＣＤプレーヤが搭載されていなくても、ＦＭ受信機が搭載されていれば、ポータブＣＤプレーヤと、例えば図５に示すような送信機２０を使用することにより、ＦＭ受信機を通じてＣＤを聴くことができる。
【０００３】
すなわち、図５において、符号１０はポータブルタイプのＣＤプレーヤを示し、これは一般的な構成とされているもので、各種の操作キー１１、動作状態などを表示するＬＣＤ１６、ヘッドホンジャック１２、ＡＣアダプタなどからの直流電圧が動作電圧として供給される外部電源ジャック１５を有する。
【０００４】
また、送信機２０は、図示はしないが、ステレオオーディオ信号を現行のＦＭ放送の規格にしたがったＦＭ信号に変換するＦＭ送信回路を内蔵している。さらに、この送信機２０は、自動車のシガーライターソケットに差し込まれるプラグ２１を有するとともに、ヘッドホンプラグ２２がコード２３を通じて送信機２０に接続され、コード２４を通じてＤＣプラグ２５が接続されている。
【０００５】
そして、車載のＦＭ受信機でＣＤを聴く場合には、ヘッドホンプラグ２２をヘッドホンジャック１２に差し込むとともに、ＤＣプラグ２５を電源ジャック１５に差し込む。さらに、プラグ２１を、自動車のシガーライターソケットに差し込む。
【０００６】
すると、そのシガーライターソケットに得られる直流電圧が、プラグ２１により取り出されて送信機２０に内蔵されているＦＭ送信回路にその動作電圧として供給され、ＦＭ送信回路は動作状態となる。
【０００７】
さらに、プラグ２１に取り出された直流電圧が、コード２４およびプラグ２５を通じてジャック１５に供給され、プレーヤ１０の動作電圧となる。
【０００８】
そこで、キー１１を操作してプレーヤ１０を再生モードにする。すると、プレーヤ１０によりＣＤが再生され、そのオーディオ信号がヘッドホンジャック１２に出力されるが、このオーディオ信号がプラグ２２およびコード２３を通じて送信機２０のＦＭ送信回路に供給されてＦＭ信号に変換され、このＦＭ信号が外部へと送信される。なお、このとき、つまみ２６を回すと、その送信周波数を変更ないし調整することができるようにされている。
【０００９】
したがって、この送信されたＦＭ信号を自動車に搭載されたＦＭ受信機により受信すれば、プレーヤ１０により再生したＣＤを聴くことができる。また、そのとき、キー１１を操作することにより、プレーヤ１０の有するすべての機能を利用することができる。
【００１０】
さらに、プレーヤ１０の電源をシガーライターソケットから得ているので、プレーヤ１０に電池を用意しておく必要がない。また、電池の消耗を気にする必要もない。
【００１１】
こうして、送信機２０によれば、ポータブルＣＤプレーヤ１０を、車載用のＣＤプレーヤと同様に使用することができる。
【００１２】
【発明が解決しようとする課題】
ところが、上述の送信機２０を使用してＣＤを聴く場合には、まず、車載のＦＭ受信機の受信周波数を、ＦＭ放送帯の空いている周波数にセットし、次に、送信機２０の送信周波数をＦＭ受信機の受信周波数に合わせる必要がある。そして、その周波数合わせを行うには、ＦＭ受信機のスピーカからの音を聞きながら、送信機２０のつまみ２６を回して送信周波数を変化させていく必要がある。
【００１３】
しかし、このような操作は、かなり面倒であり、特に、アメリカのように多数のＦＭ放送が行われている地域では、大変な手間となってしまう。
【００１４】
この発明は、このような問題点を解決しようとするものである。
【００１５】
【課題を解決するための手段】
このため、この発明においては、
オーディオ機器の外部電源ジャックに差し込まれるＤＣプラグと、
上記オーディオ機器のヘッドホンジャックに差し込まれるヘッドホンプラグと、
このヘッドホンプラグから得られるオーディオ信号をＦＭ放送帯のＦＭ信号に変換して送信する送信回路と、
受信回路と、
不揮発性のメモリと、
ディスプレイと、
スキャンキーと、
上記送信回路の送信周波数および上記受信回路の受信周波数を制御する制御回路と、
自動車のシガーライターソケットに差し込まれるプラグと
を有し、
上記ディスプレイおよび上記スキャンキーは、ユニット本体の外周面に設けられ、
上記プラグは上記ユニット本体から突出して設けられ、
上記メモリは、
空き周波数のデータと、
前回、電源がオフになるときに上記送信回路が使用していた送信周波数のデータであるラストチャンネルのデータと
を記憶するものとされ、
上記プラグを上記シガーライターソケットに差し込んだとき、そのシガーライターソケットに得られる直流電圧が、上記プラグを通じて上記送信回路、上記受信回路および上記制御回路にそれらの動作電圧として供給され、
上記制御回路は、
上記プラグを通じて上記直流電圧が動作電圧として供給されたとき、上記送信回路を不動作状態にするとともに、上記受信回路を動作状態にし、
上記メモリから上記ラストチャンネルのデータを読み出して上記受信回路の受信周波数を、前回、電源をオフにするときに使用していたラストチャンネルの周波数に設定し、
この設定したラストチャンネルの受信周波数が空いているかどうかを判別し、
このラストチャンネルの受信周波数が空いているときには、上記送信回路を動作状態にするとともに、上記受信回路を不動作状態にし、かつ、
上記送信回路の送信周波数を、上記読み出したラストチャンネルのデータにより、前回、電源がオフになるときに使用していた周波数に設定するとともに、
この設定した周波数を上記ディスプレイに表示し、
上記設定したラストチャンネルの受信周波数が空いていないときには、上記メモリに記憶されている空き周波数のデータを読み出して上記受信回路の受信周波数をその空き周波数に設定し、
この設定した受信周波数が空いているかどうかを判別し、
この設定した周波数が空いているときには、上記送信回路を動作状態にするとともに、上記受信回路を不動作状態にし、かつ、
上記送信回路の送信周波数を、上記メモリに記憶されている上記空き周波数のデータにより、その空き周波数に設定するとともに、
この設定した周波数を上記ディスプレイに表示し、
上記メモリに記憶されている空き周波数のデータの周波数が空いていないときには、上記スキャンキーが操作されたとき、上記受信回路の感度を高く設定するとともに、上記ＦＭ放送帯のスキャンを開始して空き周波数の検出を開始し、
このスキャンの結果、空き周波数が検出されたときには、上記送信回路を動作状態にするとともに、上記受信回路を不動作状態にし、かつ、
上記送信回路の送信周波数を、上記スキャンにより検出された空き周波数に設定するとともに、
この設定した周波数を上記ディスプレイに表示し、かつ、
この設定した周波数のデータを上記メモリにラストチャンネルのデータとして記憶し、
上記スキャンの結果、空き周波数が検出されないときには、上記受信回路の感度を低く設定するとともに、上記ＦＭ放送帯の再スキャンを開始して空き周波数の検出を開始し、
この再スキャンの結果、空き周波数が検出されたときには、上記送信回路を動作状態にするとともに、上記受信回路を不動作状態にし、かつ、
上記送信回路の送信周波数を、上記再スキャンにより検出された空き周波数に設定するとともに、
この設定した周波数を上記ディスプレイに表示し、かつ、
この設定した周波数のデータを上記メモリにラストチャンネルのデータとして記憶する
ようにした送信機
とするものである。
したがって、空いている周波数が自動的に選択され、その周波数で送信が行われるようになるとともに、その送信周波数がディスプレイに表示されてユーザに知らされる。
【００１６】
【発明の実施の形態】
図１において、符号３０は、この発明による送信機を示し、これは、送信回路４０と、受信回路５０とを有する。この場合、送信回路４０は、ＣＤプレーヤ１０からのオーディオ信号をＦＭ信号に変換して送信するものであり、このため、ヘッドホンプラグ４２と、ステレオ多重化回路４４と、ＦＭ変調回路４５と、アンテナ４６とを有する。
【００１７】
そして、ヘッドホンプラグ４２は、ＣＤプレーヤ１０のヘッドホンジャック１２に差し込まれてＣＤプレーヤ１０から左および右チャンネルのオーディオ信号Ｌ、Ｒを取り出すものである。また、ステレオ多重化回路４４は、プラグ４２からのオーディオ信号Ｌ、Ｒを現行のＦＭ放送におけるステレオ多重信号と同じ規格のステレオ多重信号に変換するものである。
【００１８】
さらに、ＦＭ変調回路４５は、多重化回路４４からの多重化信号を現行のＦＭ放送の規格のＦＭ信号に変換してアンテナ４６に供給するものである。このため、図示はしないが、変調回路４５はＰＬＬにより構成され、そのＶＣＯにステレオ多重信号が供給されることによりＦＭ変調が実現されるとともに、その可変分周回路の分周比を変更することにより送信周波数を変更できるようにされている。
【００１９】
さらに、受信回路５０は、チューナ回路５１と、検出回路５２とを有する。そして、チューナ回路５１は、図示はしないが、アンテナ入力回路からＦＭ復調回路までを有してスーパーヘテロダイン方式に構成されるとともに、その局部発振回路がＰＬＬのＶＣＯにより構成され、そのＰＬＬの可変分周回路の分周比を変更することによりＦＭ放送帯において、受信周波数を任意の周波数に変更できるようにされている。さらに、チューナ回路５１は、その受信感度を所定のステップで変更できるようにされている。
【００２０】
また、検出回路５２は、例えばチューナ回路５１の中間周波信号のレベルから放送波信号に同調しているかどうかを検出するもので、その検出信号Ｓ52が出力される。なお、実際には、検出回路５２は、チューナ回路５１と一体に１チップＩＣ化されているものであり、その検出信号Ｓ52として同調指示信号を使用することができる。
【００２１】
さらに、この送信機３０は、プラグ３１と、定電圧回路３２と、ＤＣプラグ３５とを有する。この場合、プラグ３１は、自動車のシガーライターソケットに差し込まれて、これに得られる直流電圧を取り出すものであり、定電圧回路３２はプラグ３１により取り出された直流電圧を所定の大きさの電圧Ｖ32に定電圧化するものである。そして、この電圧Ｖ32が、コード３４を通じてＤＣプラグ３５に出力される。
【００２２】
また、定電圧回路３２の出力端が、スイッチ用のトランジスタ４７のエミッタ・コレクタ間を通じて回路４４、４５の電源ラインに接続されるとともに、スイッチ用のトランジスタ５７のエミッタ・コレクタ間を通じて回路５１、５２の電源ラインに接続される。
【００２３】
さらに、送信機３０には、システム制御用としてマイクロコンピュータ６０が設けられ、これには定電圧回路３２の出力電圧Ｖ32が動作電圧として供給される。そして、このマイクロコンピュータ６０には、例えば図３および図４に示すような周波数設定ルーチン１００が用意される。また、マイクロコンピュータ６０の出力端子Ｑ1 、Ｑ2 から回路４５、５１の可変分周回路に分周比がそれぞれ供給されるとともに、出力端子Ｑ3 からチューナ回路５１に受信感度の制御信号が供給される。さらに、マイクロコンピュータ６０の出力端子Ｑ4 、Ｑ5 からトランジスタ４７、５７のベースに制御信号がそれぞれ供給されるとともに、検出回路５２の検出信号Ｓ52がマイクロコンピュータ６０の入力端子Ｄ1 に供給される。
【００２４】
また、マイクロコンピュータ６０には、操作キーとして、スキャンキー６１Ｓ、アップキー６１Ｕ、ダウンキー６１Ｄが接続されるとともに、ＬＣＤ６２およびメモリ６３が接続される。この場合、メモリ６３は、データの消去および書き込みを電気的に行うことのできるＲＯＭとされ、あるいは、図示はしないが、電池によりバックアップされたＲＡＭとされ、すなわち、メモリ６３は不揮発性メモリとされ、電源をオフにしたときでも、書き込まれたデータを保持できるようにされている。
【００２５】
そして、メモリ６３には、後述するようにして、ＦＭ放送帯のうち、空いて周波数のデータが記憶されているとともに、ラストチャンネルの周波数のデータ（前回、送信機３０の電源をオフにするときに使用していた送信周波数のデータ）が記憶されている。
【００２６】
図２は、上述した送信機３０の外観の一例を示すもので、プラグ３５、４２がコード３４、４３を通じて送信機３０の本体部分３９に接続されている。また、その本体部分３９にキー６１Ｓ〜６１ＤおよびＬＣＤ６２が設けられるとともに、プラグ３１が一体に設けられている。
【００２７】
このような構成において、自動車のＦＭ受信機でＣＤを聴く場合には、ヘッドホンプラグ４２をＣＤプレーヤ１０のヘッドホンジャック１２に差し込むとともに、ＤＣプラグ３５を電源ジャック１５に差し込む。さらに、プラグ３１を、自動車のシガーライターソケットに差し込む。
【００２８】
すると、そのシガーライターソケットに得られる直流電圧が、プラグ３１により取り出されて定電圧回路３２に供給され、定電圧回路３２からは直流電圧Ｖ32が出力される。そして、この電圧Ｖ32がマイクロコンピュータ６０にその動作電圧として供給され、この結果、マイクロコンピュータ６０はルーチン１００の処理を開始する。
【００２９】
このルーチン１００の詳細については後述するが、ルーチン１００が実行されると、トランジスタ４７がオンとなって電圧Ｖ32が回路４５、４４にその動作電圧として供給され、送信回路４０は動作状態となる。また、送信回路４０の送信周波数が空いている周波数にセットされ、さらに、その送信周波数がＬＣＤ６２に表示される。
【００３０】
そこで、ユーザは、自動車に搭載されたＦＭ受信機の受信周波数を、ＬＣＤ６２に表示された周波数に合わせる。すると、送信回路４０の送信周波数はＬＣＤ６２に表示された周波数になっているのであるから、ＦＭ受信機は送信回路４０からのＦＭ信号に正しく同調してそのＦＭ信号を受信できることになる。
【００３１】
そして、ＣＤプレーヤ１０を再生モードに操作すると、ＣＤから再生されたオーディオ信号Ｌ、Ｒが、プラグ４２によりＣＤプレーヤ１０から取り出され、この取り出されたオーディオ信号Ｌ、Ｒがコード４３を通じてステレオ多重化回路４４に供給されてステレオ多重信号とされる。そして、この多重信号が変調回路４５に供給されてＬＣＤ６２に表示された周波数のＦＭ信号に変換され、このＦＭ信号がアンテナ４６から送信される。
【００３２】
そして、このとき、自動車に搭載されたＦＭ受信機は、送信回路４５の送信周波数に同調が合わせてあるので、そのＦＭ信号を正しく受信することができ、したがって、ＣＤプレーヤ１０により再生された音楽が自動車に搭載されたＦＭ受信機のスピーカから出力されることなる。
【００３３】
こうして、この送信機３０によれば、ＦＭ受信機の受信周波数を、ＬＣＤ６２に表示された周波数にセットするだけで、ＣＤプレーヤ１０により音楽などを再生して聴くことができる。
【００３４】
次にルーチン１００について説明する。すなわち、送信機３０のプラグ３１を自動車のシガーライターソケットに差し込むと、マイクロコンピュータ６０には電圧Ｖ32が動作電圧として供給されるようになる。すると、マイクロコンピュータ６０のＣＰＵの処理がルーチン１００のステップ１０１からスタートし、次にステップ１０２において、各部の初期化が行われ、続いてステップ１０３において、端子Ｑ4 の出力によりトランジスタ４７がオフとされるとともに、端子Ｑ5 の出力によりトランジスタ５７がオンとされる。
【００３５】
したがって、ステップ１０３の時点から、電圧Ｖ32がトランジスタ４７がオフなので、回路４４、４５には動作電圧が供給されず、送信回路４０は不動作状態となる。また、トランジスタ５７がオンとなるので、回路５１、５２には動作電圧が供給され、受信回路５０は動作状態となる。
【００３６】
そして、次にステップ１０４において、ラストチャンネルの周波数のデータがメモリ６３から読み出され、この周波数のデータが対応する受信周波数の分周比のデータに変換され、この分周比のデータが端子Ｑ2 からチューナ回路５１に供給されて可変分周回路にセットされ、受信周波数がラストチャンネルの周波数にセットされる。したがって、このステップ１０４の時点から、受信回路５０は前回使用していた送信周波数で受信を始めたことになる。
【００３７】
続いて、ステップ１１１において、検出信号Ｓ52をチェックすることにより、ステップ１０４によりセットされた受信周波数が空いているかどうか（その周波数で放送が行われているかどうか）が判別される。そして、その周波数が空いているときには、処理はステップ１１１からステップ１１２に進み、このステップ１１２において、端子Ｑ4 の出力によりトランジスタ４７がオンとされるとともに、端子Ｑ5 の出力によりトランジスタ５７がオフとされる。
【００３８】
したがって、ステップ１１２の時点から、電圧Ｖ32がトランジスタ４７を通じて回路４４、４５に動作電圧として供給されるので、送信回路４０は動作状態となる。また、トランジスタ５７がオフとなるので、回路５１、５２には動作電圧が供給されず、受信回路５０は不動作状態となる。
【００３９】
続いて、ステップ１１３において、ステップ１０４により読み出したラストチャンネルの周波数のデータが端子Ｑ1 から変調回路４５に供給されて可変分周回路にセットされ、送信周波数がラストチャンネルの周波数にセットされる。したがって、このステップ１１３の時点から、送信回路４０は前回使用していた送信周波数で送信を再開したことになる。
【００４０】
そして、次にステップ１１４において、ステップ１０４により読み出したラストチャンネルのデータが対応する送信周波数の表示データに変換されてＬＣＤ６２に供給され、ステップ１１３によりセットされた送信周波数がＬＣＤ６２にデジタル表示され、その後、ステップ１４１において、キー入力待ちとなる。
【００４１】
したがって、送信機３０は、前回使用していた周波数で送信を再開しているとともに、その送信周波数がＬＣＤ６２に表示されていることになり、その状態でキー入力待ちとなっている。
【００４２】
なお、ステップ１１１において、ステップ１０４によりセットした受信周波数が使用されているときには、処理はステップ１１１からステップ１２１に進み、このステップ１２１において、メモリ６３に次の空き周波数のデータがあるかどうかチェックされる。そして、あるときには、処理はステップ１２１からステップ１２２に進み、このステップ１２２において、メモリ６３から次の空き周波数のデータが読み出され、このデータが対応する受信周波数の分周比のデータに変換されてからチューナ回路５１に供給されて可変分周回路にセットされ、受信周波数が次の空き周波数にセットされる。
【００４３】
そして、その後、ステップ１１１において、そのステップ１２２によりセットされた受信周波数が実際に空いているかどうかがチェックされ、空いていれば、ステップ１１２〜１１４により、その周波数が送信周波数とされるとともに、その送信周波数がＬＣＤ６２に表示され、空いていなければ、空いている周波数が見つかるまで、ステップ１２１、１２２が繰り返される。
【００４４】
そして、メモリ６２に記憶されているすべての周波数が空いていないときには、処理はステップ１２１からステップ１３１に進み、このステップ１３１において、端子Ｑ4 の出力によりトランジスタ４７がオフとされるとともに、端子Ｑ5 の出力によりトランジスタ５７がオフとされる。したがって、このステップ１３１の時点から、送信回路４０および受信回路５０はともに不動作状態とされる。
【００４５】
そして、次にステップ１３２において、所定の表示データがＬＣＤ６２に供給され、ＬＣＤ６２には、空いている周波数のないことが表示され、その後、処理はステップ１４１に進んでキー入力待ちとなる。
【００４６】
一方、ステップ１４１によりキー入力待ちとなっているとき、キー６１Ｓ〜６１Ｄのどれかを押すと、処理はステップ１４１からステップ１４２に進み、ステップ１４２おいて、その押されたキーが判別される。そして、押されたキーがスキャンキー６１Ｓのときには、処理はステップ１４２からステップ１４３に進み、このステップ１４３において、トランジスタ４７がオフとされて送信回路４０が不動作状態とされるとともに、トランジスタ５７がオンとされて受信回路５０が動作状態とされ、次にステップ１４４において、端子Ｑ3 の出力によりチューナ回路４５は最高感度にセットされる。
【００４７】
続いて、ステップ１５１において、端子Ｑ2 の出力により受信周波数が所定の周波数ステップで順に変更されてＦＭ放送帯の最低周波数から最高周波数までがスキャンされていくとともに、このスキャン時、検出信号Ｓ52をチェックすることにより、空いている周波数があると、その周波数のデータがメモリ６３に書き込まれていく。こうして、ステップ１５１においては、ＦＭ放送帯のうち、空いている周波数が順に検出され、その周波数のデータがメモリ６３に記憶される。
【００４８】
そして、ステップ１５１の処理を終了すると、次にステップ１５２において、ステップ１５１の実行時、空いている周波数があったかどうかが判別される。そして、空いている周波数が１つもないときには、処理はステップ１５２からステップ１５３に進み、このステップ１５３において、受信回路５１の現在の受信感度が最低感度にセットされているかどうかが判別される。
【００４９】
そして、最低感度にセットされていないときには、処理はステップ１５３からステップ１５４に進み、このステップ１５４において、受信回路５１の受信感度が１ステップだけ低くされ、その後、処理はステップ１５１に戻る。
【００５０】
したがって、以後、それ以前よりも１ステップ低い受信感度で、ＦＭ放送帯のスキャンが行われ、空いている周波数が検出されていく。
【００５１】
そして、どの受信感度であってもスキャンの結果、空いている周波数が１つでも見つかると、これがステップ１５２により検出され、処理はステップ１５２からステップ１６１に進む。そして、このステップ１６１において、トランジスタ４７がオンとされて送信回路４０が動作状態とされるとともに、トランジスタ５７がオフとされて受信回路５０が不動作状態とされる。
【００５２】
次に、ステップ１６２において、ステップ１５１のスキャンによりメモリ６３に記憶された周波数のデータ、すなわち、空いている周波数のデータのうち、最低の周波数のデータが読み出され、このデータが対応する送信周波数の分周比のデータに変換されてから変調回路４５の可変分周回路にセットされる。したがって、このステップ１６２の時点から、ステップ１５１により検出した空き周波数のうちの最低の周波数で、送信回路４５の送信が行われるようになる。
【００５３】
続いて、処理はステップ１６３に進み、このステップ１６３において、送信周波数を示す表示データがＬＣＤ６２に供給されてその送信周波数がＬＣＤ６２に表示され、次に、このときの送信周波数のデータがメモリ６３にラストチャンネルの周波数のデータとして記憶され、その後、処理はステップ１４１に戻りキー入力待ちとなる。
【００５４】
こうして、ステップ１４３〜１５４により空いている周波数が検出され、ステップ１６１〜１６４により空いている周波数の１つを使用して送信が行われるとともに、その送信周波数がＬＣＤ６２に表示される。
【００５５】
なお、受信回路５１を最低感度にしても、空いている周波数がないときには、この送信機３０を使用することはできないことになる。
【００５６】
そこで、その場合には、空き周波数が１つもないこと、および受信感度が最低であることがステップ１５２、１５３により判別され、処理はステップ１５３からステップ１７１に進む。そして、このステップ１７１において、トランジスタ４７、５７がオフとされて送信回路４０および受信回路５０は不動作状態とされ、次にステップ１７２において、所定の表示データがＬＣＤ６２に供給されてＬＣＤ６２に空いている周波数のないことが表示され、その後、処理はステップ１４１に戻り、キー入力待ちとなる。
【００５７】
さらに、ステップ１４１においてキー入力待ちとなっている場合に、アップキー６１Ｕあるいはダウンキー６１Ｄを押すと、処理がステップ１４１からステップ１４２に進み、今の場合、キー６１Ｕあるいは６１Ｄなので、処理はステップ１４２からさらにステップ１８１に進む。そして、このステップ１８１において、トランジスタ４７がオンとされて送信回路４０が動作状態とされるとともに、トランジスタ５７がオフとされて受信回路５０が不動作状態とされる。
【００５８】
次に、ステップ１８２において、キー６１Ｕあるいは６１Ｄに対応して、メモリ６３に記憶されている周波数のデータ、すなわち、空き周波数のデータのうち、次あるいは前の周波数のデータが読み出され、この読み出されたデータの周波数を送信周波数とするときの分周比のデータが変調回路４５の可変分周回路にセットされる。したがって、この時点から、それまでの送信周波数の次あるいは前の空き周波数が、新しい送信周波数となって送信回路４０の送信が行われる
そして、その後、処理はステップ１６３に進み、その送信周波数がＬＣＤ６２に表示され、ステップ１６４によりラストチャンネルの周波数のデータとして記憶されてからステップ１４１に戻ってキー入力待ちとなる。
【００５９】
こうして、ルーチン１００によれば、送信機３０のプラグ３１を自動車のシガーライターソケットに差し込むと、送信回路４０の送信周波数が空いている周波数にセットされるとともに、その送信周波数がＬＣＤ６２に表示される。
【００６０】
したがって、上述のように、自動車に搭載したＦＭ受信機の受信周波数をＬＣＤ６２に表示された周波数に合わせれば、ＣＤプレーヤ１０により再生された音楽などをＦＭ受信機のスピーカから聴くことができる。
【００６１】
以上のように、送信機３０によれば、送信周波数がＬＣＤ６２に表示されるので、ユーザはＦＭ受信機の受信周波数を送信機３０の送信周波数に容易に合わせることができる。つまり、一般のＦＭ放送局を選局する場合と同様の操作だけで、ＣＤプレーヤ１０により再生された音楽などを聴くことができるようになる。
【００６２】
しかも、その空いている周波数は自動的に選択されて送信が実行されるので、ユーザは送信周波数を選択するためのキー操作を行う必要がない。
【００６３】
なお、上述において、ステップ１４１によりキー入力待ちとなっているとき、キー６１Ｕあるいは６１Ｄを長い期間、例えば２秒以上押し続けた場合には、メモリ６３に記憶されている空き周波数を対象として、実際に空いているかどうか順にチェックし、実際に空いている周波数があったとき、その周波数を送信回路４０の送信周波数とするとともに、その送信周波数をＬＣＤ６２に表示することもできる。
【００６４】
さらに、ステップ１５１〜１５４において、ＦＭ放送帯をスキャンして空いている周波数を見つける場合、ＦＭ放送帯を例えば低域および高域に分割し、低域で空き周波数が見つかったときには、低域でスキャンを終了し、見つからなかったときには、高域のスキャンに進んで同様の処理を行うようにすれば、空き周波数が見つかった場合、スキャンを早く終了させることができる。
【００６５】
また、ＣＤプレーヤ１０だけではなく、ＭＤプレーヤなどのポータブルオーディオ機器と組み合わせて使用することもできる。
【００６６】
【発明の効果】
この発明によれば、送信周波数がディスプレイに表示されるので、ユーザはＦＭ受信機の受信周波数をその送信周波数に容易に合わせることができる。つまり、一般のＦＭ放送局を選局する場合と同様の操作だけで、ＣＤプレーヤなどにより再生された音楽などを聴くことができるようになる。
【００６７】
しかも、その空いている周波数は自動的に選択されて送信が実行されるので、ユーザは送信周波数を選択するためのキー操作を行う必要がない。
【図面の簡単な説明】
【図１】この発明の一形態を示す接続図である。
【図２】この発明の一形態を示す斜視図である。
【図３】この発明の一形態の一部を示すフローチャートである。
【図４】図３の続きを示すフローチャートである。
【図５】この発明を説明するための斜視図である。
【符号の説明】
１０…ＣＤプレーヤ、３０…送信機、３１…プラグ、３２…定電圧回路、３５…ＤＣプラグ、４０…送信回路、４２…ステレオプラグ、４４…ステレオ多重化回路、４５…変調回路、４６…アンテナ、５０…受信回路、５１…チューナ回路、５２…検出回路、６０…マイクロコンピュータ、６１Ｄ、６１Ｓ、６１Ｕ…操作キー、６２…ＬＣＤ、６３…メモリ、１００…周波数設定ルーチン
【図１】
0004009789.tif 000002
【図２】
0004009789.tif 000003
【図３】
0004009789.tif 000004
【図４】
0004009789.tif 000005
【図５】
0004009789.tif 000006